(57)【特許請求の範囲】
【請求項１】
電子機器本体に対して、その所定の収容位置から引き出し可能に構成されたモジュール装置をイジェクトするための電子機器のイジェクト装置であって、
前記モジュール装置の前記引き出し方向前面部に、その幅方向に沿って配置された把持部、及びこの把持部の両端から前記モジュール装置の両側面に沿って延設され、その先端部分が前記モジュール装置の両側部に設置された回転軸により回動可能に枢支された一対の軸受部からなるハンドルと、
このハンドルの軸受部に形成されこのハンドルの、前記回転軸を中心とした回動を許容する解除部、及び前記回動を阻止するロック部からなるカム孔と、
このカム孔内に係合するロックピンを有し、かつ、このロックピンが前記カム孔のロック部と係合するロック位置、及び前記解除部と係合する解除位置にそれぞれ位置するようにスライド可能に構成されたスライド板を有するロック機構と、
前記電子機器本体側に固定され、前記モジュール装置が前記電子機器本体の所定の収容位置に在るとき、前記ハンドルの軸受部外周に形成された切欠部と係合し、この軸受部の前記回転軸を中心とした回動により、このハンドルを取り付けたモジュール装置に対し前記引き出し方向の移動力を加えるイジェクト突起と
を備えたことを特徴とする電子機器のイジェクト装置。
【請求項２】
ロック機構のスライド板の近傍に固定配置され、このスライド板のスライドに連動してオン／オフ操作されるように構成され、前記スライド板のロック位置から解除位置へのスライドにより電源回路をオフさせ、解除位置からロック位置へのスライドにより電源回路をオンさせるスライドスイッチを有することを特徴とする請求項１に記載の電子機器のイジェクト装置。
【発明の詳細な説明】
【０００１】
【発明の属する技術分野】
本発明は、デスクサイドコンピュータ等の電子機器に装着されるモジュールの着脱構造に関する。
【０００２】
【従来の技術】
従来のこの種のモジュール装置は、図５にその一例が示される。同図（Ａ）は上面図、（Ｂ）は正面図、（Ｃ１）及び（Ｃ２）はそれぞれ右側面図及び左側面図である。同図において、モジュール装置１の左右側面には、側板２が固定されていて、この側板２とモジュール装置１とは、固定金具３の部分で固定されている。
【０００３】
又、モジュール装置１と側板２との間には溝４があけられており、この溝４にハンドル５の一端が挿し込まれている。
【０００４】
このような構成で、モジュール装置１を本体から取り外す際、ハンドル５に力を加えて引き出していた。
【０００５】
一方、電子機器本体（図示せず）にモジュール装置１を取り付ける際には、固定金具３を介してネジ等で固定する必要があった。又、電子機器本体が動作している間は、モジュール装置１には電源ラインの入／切スイッチが具備されていないため、モジュール装置１を着脱する時は、電子機器本体の動作を停止させてから、モジュール装置１を本体から引き抜くという手順を取らねばならなかった。
【０００６】
【発明が解決しようとする課題】
この様な従来のモジュール装置１においては、モジュール装置１を電子機器本体から取り外す際、ハンドル５（図５）に力を加えて引き出していた為、引き抜いた際、モジュール装置１に強い衝撃が加わって、その影響でモジュール装置１に内蔵されている電子部品が破損したり、配線損傷を招くという問題が生じていた。
【０００７】
一方、モジュール装置１を電子機器本体に取り付ける際、固定金具３（図５）をネジ等で固定させねばならず、又その組み立て作業中に電子機器本体内にネジを落下させる事もあって、組み立て時間が大幅に増え、コストダウンを妨げる大きな要因となっていた。
【０００８】
更に、モジュール装置１を着脱する際、電子機器本体の動作を停止させる必要があるため、その分、着脱の作業効率が悪くなり、加えて、コネクタの引き抜きが電源ケーブル自体の耐久性をも低下させるという問題があった。
【０００９】
そこで、本発明の目的は、電子機器本体からモジュール装置を着脱する際、モジュール装置に余分な衝撃を与えずに着脱でき、又余分な着脱操作を排して、着脱時間を短縮し、更に、コネクターの耐久性をも損なう事のない電子機器のイジェクト装置を提供することにある。
【００１０】
【課題を解決するための手段】
本発明による電子機器のイジェクト装置は、電子機器本体に対して、その所定の収容位置から引き出し可能に構成されたモジュール装置をイジェクトするための電子機器のイジェクト装置であって、前記モジュール装置の前記引き出し方向前面部に、その幅方向に沿って配置された把持部、及びこの把持部の両端から前記モジュール装置の両側面に沿って延設され、その先端部分が前記モジュール装置の両側部に設置された回転軸により回動可能に枢支された一対の軸受部からなるハンドルと、このハンドルの軸受部に形成されこのハンドルの前記回転軸を中心とした回動を許容する解除部、及び前記回動を阻止するロック部からなるカム孔と、このカム孔内に係合するロックピンを有し、かつ、このロックピンが前記カム孔のロック部と係合するロック位置、及び前記解除部と係合する解除位置にそれぞれ位置するようにスライド可能に構成されたスライド板を有するロック機構と、前記電子機器本体側に固定され、前記モジュール装置が前記電子機器本体の所定の収容位置に在るとき、前記ハンドルの軸受部外周に形成された切欠部と係合し、この軸受部の前記回転軸を中心とした回動により、このハンドルを取り付けたモジュール装置に対し前記引き出し方向の移動力を加えるイジェクト突起とを備えたことを特徴とする。
【００１１】
又、本発明の電子機器のイジェクト装置は、ロック機構のスライド板の近傍に固定配置され、このスライド板のスライドに連動してオン／オフ操作されるように構成され、前記スライド板のロック位置から解除位置へのスライドにより電源回路をオフさせ、解除位置からロック位置へのスライドにより電源回路をオンさせるスライドスイッチを有する。
【００１４】
【発明の実施の形態】
以下、本発明の一実施形態について、図１乃至図４を参照して説明する。
【００１５】
図１は、本発明によるイジェクト装置を備えたモジュール装置の説明図で、（Ａ）は上面図、（Ｂ）は正面図、（Ｃ）及び（Ｄ）はそれぞれ右側面図及び左側面図であり、又図２は図１のモジュール装置の斜視図である。なお、図１、２において、図５と同一構成部は同一符号を記し、詳細な説明は省略する。
【００１６】
図１において、ハンドル５はモジュール装置１の前部に水平に延長された把持部５Ａとその両端において直角方向に延長される軸受け部５Ｂとからなり、これらの軸受け部５Ｂは、モジュール装置１の両側に回転軸６により、回転可能に取り付けられている。また、ハンドル５の軸受け部５Ｂには、回転軸６の周囲で
ハンドル５の一方の軸受け部５Ｂのモジュール装置１との反対側の側面にはハンドル５をロックあるいはロック解除するためのロック機構７が設けられている。
【００１７】
次に、このロック機構７の構成作用を図３に基づいて説明する。
【００１８】
図３は、ハンドル５とロック機構７との関係を示した部分拡大図で、（Ａ）はハンドル５のロック状態、（Ｂ）はハンドル５のロック解除状態、（Ｃ）はハンドル５を下方に回転操作してモジュール装置１を前方に移動させた状態を、それぞれ示している。
【００１９】
尚、図３において、図１及び図２と同一構成部は同一符号を記し、詳細な説明は省略する。
【００２０】
図３において、ロック機構７は、図１（Ｂ）の矢印１０で示すようにモジュール装置１の正面に対して上下方向に全体的にスライド可能なスライド板７Ａを含んでいる。このスライド板７Ａはモジュール装置１の正面側に突出したレバー部７Ｂと、スライド板７Ａのモジュール装置１の背面側に突出したロック部７Ｃを備えている。このスライド板７Ａのロック部７Ｃにはスライド板７Ａに対して垂直方向に延長するロックピン８が植設されている。
【００２１】
他方、ハンドル５の両方の軸受け部５Ｂの回転軸６の周囲の部分にはＬ字形カム孔９が設けられている。Ｌ字形カム孔９は回転軸６方向に延長されたロック部９Ａと回転軸６の周囲に円弧状に延長された解除部９Ｂから構成されており、このＬ字形カム孔９にはロックピン８が摺動可能に挿入されている。
【００２２】
また、ハンドル５の軸受け部５Ｂには、回転軸６の周囲でＬ字形カム孔９に対向する位置には切欠部５Ｃが形成されており、この切欠部５Ｃには図示しないがモジュール装置１が挿入される電子機器本体の収納部に固定されたイジェクト突起１１が係合している。
【００２３】
次に、この様に構成された本発明によるイジェクト装置の作用を説明する。
【００２４】
図３（Ａ）ロック状態においては、ロック機構７のスライド板７Ａに植設されたロックピン８がハンドル５の回転軸受け部５Ｂに設けられているＬ字形カム孔９のロック部９Ａに位置している。
【００２５】
このロック状態から、ロック機構７のレバー部７Ｂを図３（Ａ）の矢示１０方向に移動させると図３（Ｂ）に示すようにロックピン８がＬ字形カム孔９のロック部９Ａから外れ、解除部９Ｂに移動する。
【００２６】
この状態において、ハンドル５の把持部５Ａを持って図３（Ｂ）の矢示１２で示す方向、すなわち、図１（Ｂ）に示すモジュール装置１の正面に対して下方に回動させると、ハンドル５の軸受け部５Ｂは、そのＬ字形カム孔９の円弧状の解除部９Ｂがロックピン８にガイドされながら反時計方向に回動する。ハンドル５の把持部５Ａが図３（Ｃ）の位置まで回動する間に、ハンドル５の軸受け部５Ｂに形成された切欠部５Ｃとこの切欠部５Ｃに係合したイジェクト突起１１との相互作用により、モジュール装置１全体を同図の矢印１３で示すように、前方に押し出し、イジェクトする。
【００２７】
逆に、モジュール装置１（図１）を電子機器本体の収納部に挿入する場合には、ハンドル５の把持部５Ａを持って図３（Ｂ）の矢示１２で示す方向と逆の方向、すなわち、図１（Ｂ）に示すモジュール装置１の正面に対して上方に回動させることにより、ハンドル５の軸受け部５Ｂに形成された切欠部５Ｃとこの切欠部５Ｃに係合したイジェクト突起１１との相互作用により、モジュール装置１全体を同図（Ｃ）の矢印１３で示す方向と逆の方向、すなわち、後方に押し込み挿入する。
【００２８】
次に、ロック機構７のレバー部７Ｂにより電子機器本体の電源をオン・オフするスイッチ機構について図４により説明する。
【００２９】
図４は、電子機器本体の電源をオン・オフするスイッチ切換え部１４とハンドル５（図１）に対するロック機構７（図１）内のレバー部７Ｂとの関連を示した分解平面図で、（Ａ）はハンドル５をロック状態におけるレバー部７Ｂとの関係を示し、（Ｂ）はハンドル５のロックを解除した状態におけるレバー部７Ｂとの関係を示した説明図である。
【００３０】
すなわち、図４に示すように、電子機器本体の電源をオン・オフする電源ケーブル１５が接続されるスイッチ切換え部１４がロック機構７（図１）内のスライド板７Ａの近傍に固定配置されており、レバー部７Ｂの上下移動により、スイッチ切換え部１４のスライドスイッチ１４Ａが移動して電子機器本体の電源をオン・オフする。図４（Ａ）においては、レバー部７Ｂはロック状態にあり、スイッチ切換え部１４のスライドスイッチ１４Ａは電子機器本体の電源をオンにする位置に置かれている。この状態においてレバー部７Ｂを矢印１０方向、すなわち、上方に移動してロック解除状態にすると、図４（Ｂ）に示すように、スイッチ切換え部１４のスライドスイッチ１４Ａは電子機器本体の電源をオフにする位置に移動する。
【００３１】
従って、ロック機構７と本体の電源供給を制御するスイッチ切換え部１３とを連動させることによって、モジュール装置１の電子機器本体からイジェクトする際には、電子機器本体の電源が自動的にオフになり、電子機器本体の動作に悪影響を及ぼすことを防止することができる。
【００３２】
【発明の効果】
以上述べたように、本発明によれば、ロック機構のレバー部を上下に移動操作するとともに、モジュール装置全面に装着されたハンドルを上下に回動操作することにより、簡単にモジュール装置を本体から引き出すことができるため、モジュール装置に衝撃を与えることがなく、電子機器の信頼性を向上することができる。
【００３３】
また、本発明によれば、イジェクトハンドルのロック機構と電子機器本体の電源のオン・オフ操作とを連動したため、モジュール装置を電子機器本体からイジェクトする際に、電子機器本体の電源が自動的にオフになり、電子機器本体の動作に悪影響を及ぼすことがなく、信頼性を向上することができる。
【図面の簡単な説明】
【図１】本発明によるイジェクト装置を備えたモジュール装置の説明図で、（Ａ）は上面図、（Ｂ）は正面図、（Ｃ）及び（Ｄ）はそれぞれ右側面図及び左側面図である。
【図２】図１のモジュール装置を示す斜視図である。
【図３】本発明のイジェクト装置の要部を示す拡大平面図で、（Ａ）はハンドルのロック状態、（Ｂ）はハンドルのロック解除状態、（Ｃ）はハンドルを上下操作してモジュール装置を前に移動させた状態をそれぞれ示す図である。
【図４】本発明のイジェクト装置におけるロック機構と、電子機器本体の電源をオン・オフするスイッチ切換え部との関連を示した拡大平面図で、（Ａ）はロック状態、（Ｂ）はロック解除状態における関連を示した図である。
【図５】従来のモジュール装置を示した説明図で、（Ａ）は上面図、（Ｂ）は正面図、（Ｃ１）及び（Ｃ２）はそれぞれ右側面図及び左側面図である。
【符号の説明】
１……  モジュール装置
２……  側板
３……  固定金具
４……  溝
５……  ハンドル
５Ａ……  把持部
５Ｂ……  軸受け部
５Ｃ……  切欠部
６……  回転軸
７……  ロック機構
７Ａ……  スライド板
７Ｂ……  レバー部
７Ｃ……  ロック部７Ｃ
８……  ロックピン
９……  Ｌ字形カム孔
９Ａ……  ロック部
９Ｂ……  解除部
１４……  スイッチ切換え部
１４Ａ……  スライドスイッチ
１５……  電源ケーブル
【図１】
0003926006.tif 000002
【図２】
0003926006.tif 000003
【図３】
0003926006.tif 000004
【図４】
0003926006.tif 000005
【図５】
0003926006.tif 000006